(57)【要約】本発明は、第１及び第２のハウジング（１，２）を有するコネクタ装置に関するものであり、これら第１及び第２のハウジングは、それぞれがプラグ装置（３）あるいはソケット装置（４）を収容し、ハウジングに装着された旋回式レバー（５）によって操作されるスライド傾斜部（７ａ、７ｂ）を有するクロススライダ（６）によって互い結合されることができる。すべてのスライド溝あるいは傾斜部（７ａ，７ｂ，８）と旋回式レバーのためのベアリングとが、差込みの方向に開放し、関連するスライドあるいは滑りブロックの挿入を可能にしている。
2005530327.tif 000002
【特許請求の範囲】
【請求項１】
第１のハウジング（１）と第２のハウジング（２）とを有し、該第１のハウジング及び第２のハウジングのそれぞれが、プラグ装置（３）及びソケット装置（４）をそれぞれ受け入れるとともに、案内フレーム傾斜部（７ａ，７ｂ）を有するクロススライダ（６）によって互いに結合され、該クロススライダが、ハウジングに装着された旋回式レバー（５）によって制御されるコネクタ装置であって、
すべての案内フレームスロットあるいは傾斜部（７ａ，７ｂ，８）と前記旋回式レバーのベアリングとが、それぞれの案内タブあるいはベアリングタブの挿入を可能にするために差込みの方向に開放していることを特徴とするコネクタ装置。
【請求項２】
請求項１に記載のコネクタ装置において、
前記第１のハウジングにおける差し込まれる端部の方に位置させられた前記クロススライダ（６）の前記案内フレーム傾斜部（７ａ，７ｂ）の端部が、それぞれ、前記第２のハウジング（２）における対応して配置された案内タブ（１２ａ，１２ｂ）を受け入れるための差込みの方向に平行な開放部（７ｃ，７ｄ）を有し、かつ、前記案内フレームの下端において、第１のスプリングキャッチアーム（１３ａ，１３ｂ）が、それぞれ、前記開放部の領域に形成されていることを特徴とするコネクタ装置。
【請求項３】
請求項２に記載のコネクタ装置において、
前記第１のキャッチアームが、その自由端において、前記開放部に対して角度をもって落ち込むキャッチ片（１４）を有し、該キャッチ片の後ろ側に前記案内タブを留めるためのキャッチショルダ（１５）を有していることを特徴とするコネクタ装置。
【請求項４】
請求項２または３に記載のコネクタ装置において、
前記案内フレーム傾斜部（７ａ，７ｂ）の前記開放部（１３ａ，１３ｂ）が、前記第１のハウジング（１）における差し込まれる端部に向かって広がっていることを特徴とするコネクタ装置。
【請求項５】
請求項１〜４のいずれかに記載のコネクタ装置において、
前記旋回式レバー（５）が、前記第１のハウジング（１）の２つのベアリングスリーブ（１１）に装着され、該ベアリングスリーブが、差込みの方向に開放するとともに、前記ベアリングスリーブの片側の開放部で各タブ（１６）のための第２の弾性スプリングアーム（１７）によって前記旋回式レバー（５）の前記ベアリングタブ（１６）のそれぞれを固定していることを特徴とするコネクタ装置。
【請求項６】
請求項５に記載のコネクタ装置において、
前記第２の弾性スプリングアーム（１７）は、その自由端がそれぞれ前記ベアリングタブ（１６）を前記ベアリングスリーブ（１１）内に固定するように、前記ベアリングスリーブ（１１）に隣接する前記第１のハウジング（１）の付属片に配置されていることを特徴とするコネクタ装置。
【請求項７】
請求項６に記載のコネクタ装置において、
前記第２の弾性スプリングアーム（１７）が、所定の角度で差込みの方向に延びていることを特徴とするコネクタ装置。
【請求項８】
請求項１〜７のいずれかに記載のコネクタ装置において、
前記第１のハウジング（１）が、差込み方向と反対の方向に開放するとともにベアリングスリーブに関して部分的に同心である円弧状案内フレーム（９）を有していることを特徴とするコネクタ装置。
【請求項９】
請求項８に記載のコネクタ装置において、
前記円弧状案内フレーム（９）の開放側（１０）が、差込みの方向と平行に延びていることを特徴とするコネクタ装置。
【請求項１０】
請求項１〜９のいずれかに記載のコネクタ装置において、
前記クロススライダ（６）が、差込みの方向と平行であるとともに差込み方向と反対の方向に開放する案内フレーム（８）を有し、該案内フレームは、前記旋回式レバー（５）が非動作位置にあるときに、前記旋回式レバー（５）のそれぞれの前記案内タブ（１８）を受け入れるために前記円弧状案内フレームの開放部の下に位置していることを特徴とするコネクタ装置。
【発明の詳細な説明】
【技術分野】
【０００１】
本発明は、請求項１の前提部分によるコネクタ装置に関する。
【背景技術】
【０００２】
このようなコネクタ装置は、挿入に要する力の大きい、多数のプラグピンを有するプラグ面を互いに挿入しあうのに特に適している。旋回式レバーによって動作する、案内フレーム傾斜部付きのクロススライダにより、レバーの原理を利用して挿入を容易にすることが可能である。このために必要な案内フレームスロット及び案内タブは、概してプラグコネクタのもっとも広い側壁に配置され、その案内タブが、側壁の弾性変形により、両端部の閉じた案内フレームスロット内に導入される。案内タブがスロット内に嵌ると、側壁が弾性的にその元の位置に跳ね戻り、クロススライダ及び／または旋回式レバーが装着される。
【発明の開示】
【発明が解決しようとする課題】
【０００３】
この工程は自動組み立てには適さないものであり、したがって製造工程が長くなり、より費用がかかる。本発明は、このタイプのコネクタ装置を機械組み立てに適するように大幅に改良するという問題に基づいている。
【課題を解決するための手段】
【０００４】
この問題の解決策は、特許請求の範囲に記載されている。好ましい実施形態の一例の特徴は、従属請求項に述べられている。
【０００５】
本発明は、案内タブを導入するためにハウジングの壁を曲げ広げなくてもよいように、必要な案内フレームのすべてを片側で開放させるという構成の思想に基づいている。開放端に対するさらなる手段及び具体的な幾何学的配置が、案内タブが誤って案内フレームスロットから滑り出すことがないことを確実にしている。
【０００６】
以下、添付の図面を参照しつつ、本発明を実施形態の一例に基づいてより詳細に説明する。
【発明を実施するための最良の形態】
【０００７】
図１に示すのは、ソケット装置４がその中で差込み面（プラグ面）を形成している第１のハウジング１である。ハウジング１の後ろ側に位置しているのは、旋回式レバー５のベアリングタブ１６を受け入れるためのベアリングスリーブ１１と、円弧状案内フレーム９である。円弧状案内フレーム９は、その一端部において、差込み方向と反対の方向に真っ直ぐな延長部を介して開放している。したがって、ベアリングスリーブ１１及び円弧状案内フレーム９は同じ側に向かって開放しており、旋回式レバー５を、その案内タブ及びベアリングタブ１６、１８と一緒に後ろから差込み方向に導入することができる。ベアリングスリーブ１１は、その片側に差込み方向に対して所定の角度で配置されたスプリングアーム１７を有しており、その自由端は、ベアリングタブが挿入されたときに該ベアリングタブによって振られて定位置を離れ、ベアリングタブ１６がその最終位置に到達したときに元の位置にもどる。このようにして、ベアリングタブ１６はその最終位置に固定される。
【０００８】
第２のハウジング２は、相補的な配置の差込みピン（プラグピン）３を有している。加えて示されているのは、図２に示すクロススライダ６の対応する案内フレームスロット７ａ、７ｂ内に導入される案内タブ１２ａ、１２ｂである。クロススライダ６の案内フレームスロット７ａ、７ｂはまた差込み方向に開放しており、クロススライダの壁を変形させることなく案内タブ１２ａ、１２ｂを導入することができる。傾斜形状の案内フレームスロット７ａ、７ｂは、円弧状案内フレームスロット９とは対照的に、貫通孔のように全長にわたって貫通しておらず、クロススライダの壁６の内壁面に溝を形成しているのみである。開放部７ｃ、７ｄに形成されるのはキャッチ片１４を有するトングであり、挿入中に、案内タブ１２ａ、１２ｂは、案内フレーム傾斜部に到達するためにこの角度付きのキャッチ片を乗り越える必要がある。このようにして、接続をより確実に構成するとともに、コネクタ部品を互いに機械的に迅速に挿入することを可能にしている。
【０００９】
図３は、斜視で見た旋回式レバー５を示している。スロット８がクロススライダ６の外壁面に配置されるとともに差込み方向と反対の方向に開放しているが、ベアリングタブ１６とスロット８内に導入される案内タブ１８とが明瞭であり、該ベアリングタブ１６及び案内タブ１８は、旋回式レバーが捻られたときにクロススライダを差込み方向に交差する方向に移動させ、それによって案内タブ１２ａ、１２ｂがガイドスロット７ａ、７ｂの傾斜部を登るように動き、同時に、２つのプラグコネクタのハウジング１、２が互いの方向へ向かって移動し、プラグピンとプラグソケットとが互いに挿入される。
【００１０】
本発明の実施形態の一例に対する上記の説明は限定的なものではなく、特許請求の範囲に記載した発明に対する説明に過ぎないことが理解されるべきである。
【図面の簡単な説明】
【００１１】
【図１】本発明のコネクタ装置の２つの相補的なハウジングを示す図である。
【図２】旋回式レバーにより動作するクロススライダを示す図である。
【図３】旋回式レバーの斜視図である。
【符号の説明】
【００１２】
１  第１のハウジング
２  第２のハウジング
３  プラグ装置
４  ソケット装置
５  旋回式レバー
６  クロススライダ
７ａ  案内フレーム傾斜部
７ｂ  案内フレーム傾斜部
８  案内フレーム
９  円弧状案内フレーム
１０  開放側
１１  ベアリングスリーブ
１２ａ  案内タブ
１２ｂ  案内タブ
１３ａ  スプリングキャッチアーム
１３ｂ  スプリングキャッチアーム
１４  キャッチ片
１５  キャッチショルダ
１６  ベアリングタブ
１７  弾性スプリングアーム
１８  案内タブ
【図１】
2005530327.tif 000003
【図２】
2005530327.tif 000004
【図３】
2005530327.tif 000005
【国際調査報告】
2005530327.tif 000006
2005530327.tif 000007
2005530327.tif 000008
2005530327.tif 000009